(57)【要約】【課題】レバー支点ピンを手で握って引っ張る作業を要することなく、レバー支点ピンをレバー及び支持部材から抜き取ることができるレバー支点ピン抜き治具の提供。【解決手段】本発明は、ブレーキに備えられるレバー３ａ，３ｂを支持部材４に回動可能に連結するレバー支点ピン５ａ，５ｂを抜き取る際に用いられるレバー支点ピン抜き治具において、レバー支点ピン５ａ，５ｂを挟持し、レバー３ａ，３ｂ及び支持部材４からのレバー支点ピン５ａ，５ｂの引き抜きが可能なピン挟持体１０と、このピン挟持体１０が移動可能に収容され、支持部材４に当接可能な端部１１ａ１，１１ｂ１を有する枠体１１と、一端がピン挟持体１０に一体に設けられ、枠体１１に設けた挿入穴１１ｃ１に挿入されるねじ棒１２と、スパナ２０による回転が可能にねじ棒１２に螺合され、枠体１１の連結壁１１ｃに押圧されるナット１４とを備えている。【選択図】図３
2016060580.tif 000002
【特許請求の範囲】
【請求項１】
エレベータ用巻上機を制動するブレーキに備えられるレバーを支持部材に回動可能に連結するレバー支点ピンを抜き取る際に用いられるレバー支点ピン抜き治具において、
前記レバー支点ピンを挟持し、前記レバー及び前記支持部材からの前記レバー支点ピンの引き抜きが可能なピン挟持体と、
前記ピン挟持体が移動可能に収容され、所定部材に当接可能な端部を有する収容体と、
一端が前記ピン挟持体に一体に設けられ、前記収容体に設けた挿入穴に挿入されるねじ棒と、
所定の工具による回転が可能に前記ねじ棒に螺合され、前記収容体に押圧される螺合体とを備えたことを特徴とするレバー支点ピン抜き治具。
【請求項２】
請求項１に記載のレバー支点ピン抜き治具において、
前記ねじ棒の前記一端に固定され、前記ピン挟持体を保持する保持体を備え、
前記ピン挟持体は、前記保持体に固定される固定部と、この固定部に対向して設けられた可動部と、前記固定部と前記可動部とによって前記レバー支点ピンを挟持した状態で前記固定部と前記可動部を締結する締結具とを含むことを特徴とするレバー支点ピン抜き治具。
【請求項３】
請求項２に記載のレバー支点ピン抜き治具において、
前記収容体は、枠体から成り、
前記枠体は、互いに対向する一対の側壁と、これらの側壁を連結し、前記挿入穴が設けられた連結壁とを含み、
前記一対の側壁のそれぞれは、前記所定部材に当接可能な前記端部を有し、これらの端部間に前記レバー支点ピンの移動を許容させる開放部を形成するとともに、前記一対の側壁間の前記ピン挟持体に対向する部分に、前記開放部に連通し、前記ピン挟持体による前記レバー支点ピンの挟持を許容させる開放空間を形成したことを特徴とするレバー支点ピン抜き治具。
【請求項４】
請求項３に記載のレバー支点ピン抜き治具において、
前記螺合体は、前記ねじ棒に螺合するナットから成り、
前記枠体の端部が当接する所定部材は、前記支持部材、または前記支持部材に一体に設けられた部材から成り、
前記固定部と前記可動部を締結するピン挟持体の前記締結具は、前記固定部に形成したねじ孔及び前記可動部に形成したねじ孔に螺合するボルトから成り、
前記保持体に固定され、前記ねじ棒の前記一端側が螺合する固定ナットを備え、
前記ねじ棒の前記一端側と、前記固定ナットと、前記保持体と、前記ピン挟持体の前記固定部とを溶接により一体に設けたことを特徴とするレバー支点ピン抜き治具。
【請求項５】
請求項４に記載のレバー支点ピン抜き治具において、
前記レバー支点ピンの長さ寸法をＬ０、
前記枠体の長さ寸法をＬ１、
前記ねじ棒の長さ寸法をＬ２、
前記ピン挟持体の厚さ寸法をＴ、
前記保持体の厚さ寸法をｔ１、
前記固定ナットの厚さ寸法をｔ２、
前記螺合体を構成する前記ナットの厚さ寸法をｔ３、
前記螺合体を構成する前記ナットに当接し前記ねじ棒に装着されるワッシャの厚さ寸法をｔ４、
前記枠体の前記連結壁の厚さ寸法をｔ５としたとき、
Ｌ１−ｔ１−ｔ２−ｔ５＞Ｌ０  の関係、及び
Ｌ２＞Ｌ１−Ｔ＋ｔ３＋ｔ４  の関係に設定したことを特徴とするレバー支点ピン抜き治具。
【請求項６】
請求項４に記載のレバー支点ピン抜き治具において、
前記レバー支点ピンは、軸体を形成するピン本体と、このピン本体の一端部に設けられたつば部とを有し、
前記ピン挟持体の前記固定部及び可動部の、前記保持体に対向する側の面部のそれぞれに、前記レバー支点ピンの前記つば部が収容される弧状凹部を設けたことを特徴とするレバー支点ピン抜き治具。
【発明の詳細な説明】
【技術分野】
【０００１】
本発明は、エレベータ用巻上機を制動するブレーキに備えられるレバー支点ピンを抜き取る際に用いられるレバー支点ピン抜き治具に関する。
【背景技術】
【０００２】
この種の従来技術が特許文献１に開示されている。この特許文献１に開示された従来技術は、エレベータ用巻上機を制動するブレーキに備えられたレバー支点ピンを抜き取る際に用いられるものである。ブレーキは、巻上機に一体に設けられるブレーキドラムと、このブレーキドラムに当接可能な一対のシューと、これらのシューを保持する一対のレバーと、これらのレバーを支持部材に回動可能に連結する一対のレバー支点ピンとを備えている。ブレーキの分解作業が必要なときには、一対のレバー支点ピンを抜き取ることにより一対のレバーのそれぞれを支持部材から取り外す作業が行われる。
【０００３】
特許文献１に開示された従来技術は、レバー支点ピンをレバー及び支持部材から抜き取る際に、レバー支点ピンとほぼ同一の外径を有する筒体を用い、この筒体の一端側をレバー支点ピンの端面に対向させ、筒体の他端側をハンマーで強く叩くようにしている。これによりレバー支点ピンがレバーに形成された穴部、及び支持部材に形成された穴部から突出する。この状態において、レバー支点ピンを手で握って引っ張ることにより、レバー支点ピンをレバー及び支持部材から抜き取るようにしている。
【先行技術文献】
【特許文献】
【０００４】
【特許文献１】特開２０００−３８２６２号公報
【発明の概要】
【発明が解決しようとする課題】
【０００５】
前述した特許文献１に開示された従来技術は、筒体を用い、この筒体をハンマーで強く叩くことにより、ある程度はレバー支点ピンをレバーに形成された穴部、及び支持部材に形成された穴部から突出させることができる。しかしながら、その後は、レバー支点ピンをレバー及び支持部材から抜き取るために、レバー支点ピンを手で握って引っ張る煩雑な作業が必要になる。このために従来技術にあっては、レバー支点ピンの抜き取り作業、すなわちレバーの取り外し作業を含むブレーキの分解作業に時間がかかり、このブレーキの分解作業の能率の向上を見込めない問題があった。
【０００６】
本発明は、前述した従来技術における実情からなされたもので、その目的は、レバー支点ピンを手で握って引っ張る作業を要することなく、レバー支点ピンをレバー及び支持部材から抜き取ることができるレバー支点ピン抜き治具を提供することにある。
【課題を解決するための手段】
【０００７】
前記目的を達成するために、本発明に係るレバー支点ピン抜き治具は、エレベータ用巻上機を制動するブレーキに備えられるレバーを支持部材に回動可能に連結するレバー支点ピンを抜き取る際に用いられるレバー支点ピン抜き治具において、前記レバー支点ピンを挟持し、前記レバー及び前記支持部材からの前記レバー支点ピンの引き抜きが可能なピン挟持体と、前記ピン挟持体が移動可能に収容され、所定部材に当接可能な端部を有する収容体と、一端が前記ピン挟持体に一体に設けられ、前記収容体に設けた挿入穴に挿入されるねじ棒と、所定の工具による回転が可能に前記ねじ棒に螺合され、前記収容体に押圧される螺合体とを備えたことを特徴としている。
【発明の効果】
【０００８】
本発明に係るレバー支点ピン抜き治具を用いてレバー支点ピンを抜き取るに際しては、ピン挟持体によってレバー支点ピンを挟持し、このピン挟持体が収容される収容体の端部を所定部材に当接させた状態で、所定の工具でねじ棒に螺合する螺合体を回転させてねじ棒及びピン挟持体を、レバー及び支持部材から離れる方向へ移動させることにより、ピン挟持体に挟持されたレバー支点ピンをレバー及び支持部材から抜き取ることができる。すなわち本発明は、従来のようにレバー支点ピンを手で握って引っ張る作業を要することなく、所定の工具で螺合体を回転させる操作によって、レバー支点ピンをレバー及び支持部材から抜き取ることができる。これにより本発明は、レバー支点ピンの抜き取り作業を短時間で行うことができ、レバーの取り外し作業を含むブレーキ分解作業の能率を従来に比べて向上させることができる。
【図面の簡単な説明】
【０００９】
【図１】本発明に係るレバー支点ピン抜き治具の一実施形態が活用されるエレベータ用巻上機のブレーキを示す正面図である。
【図２】図１に示すブレーキに備えられるレバー支点ピンを示す平面図である。
【図３】本実施形態に係るレバー支点ピン抜き治具を示す平面図である。
【図４】図３のＡ方向から見た図である。
【図５】本実施形態に備えられるピン挟持体を構成する可動部を示す正面図である。
【図６】本実施形態に係るレバー支点ピン抜き治具を用いてブレーキのレバー支点ピンを抜く作業を示す図である。
【発明を実施するための形態】
【００１０】
以下、本発明に係るレバー支点ピン抜き治具の実施の形態を図面に基づいて説明する。
【００１１】
本実施形態に係るレバー支点ピン抜き治具が用いられるエレベータ用巻上機のブレーキは、図１に示すように、エレベータ用巻上機と一体に設けられるブレーキドラム１と、このブレーキドラム１に当接してブレーキドラム１を制動可能な一対のシュー２ａ，２ｂと、これらのシュー２ａ，２ｂを保持する一対のレバー３ａ，３ｂとを備えている。また、このブレーキは、レバー３ａ，３ｂを支持部材４に回動可能に連結する一対のレバー支点ピン５ａ，５ｂを備えている。
【００１２】
レバー支点ピン５ａは、例えば図２に示すように、全体が１本の軸体からなっており、つば部は設けられていない。レバー支点ピン５ｂも、レバー支点ピン５ａと同等の構成となっている。
【００１３】
また、ブレーキは、レバー３ａ，３ｂをそれぞれブレーキドラム１から離隔する方向へ押し開く電磁石装置６と、この電磁石装置６に形成された貫通穴、及びレバー３ａ，３ｂのそれぞれに形成された貫通穴に挿入されるロッド７とを備えている。さらに、このブレーキは、ロッド７の一端に設けられ、レバー３ａ，３ｂを閉じる方向に付勢する、すなわちシュー２ａ，２ｂがブレーキドラム１に当接するようにレバー３ａ，３ｂを付勢するばね８を備えている。
【００１４】
このように構成されるブレーキは、保守点検等に際して分解することが行われる。このブレーキの分解作業時には、レバー支点ピン５ａ，５ｂが、支持部材４の穴部４ａ，４ｂ、及びレバー３ａ，３ｂの穴部から抜き取られ、レバー３ａ，３ｂを取り外す作業が行われる。本実施形態は、このようなレバー３ａ，３ｂの取り外し作業に際し、レバー支点ピン５ａ，５ｂを抜き取る際に用いられる。
【００１５】
本実施形態に係るレバー支点ピン抜き治具は、図３〜５に示すように、レバー支点ピン５ａ，５ｂを挟持し、レバー３ａ，３ｂ及び支持部材４からのレバー支点ピン５ａ，５ｂの引き抜きが可能なピン挟持体１０と、このピン挟持体１０が移動可能に収容され、所定部材に当接可能な端部を有する収容体、例えば枠体１１と、一端がピン挟持体１０に一体に設けられ、枠体１１に設けた挿入穴１１ｃ１に挿入されるねじ棒１２と、所定の工具による回転が可能にねじ棒１２に螺合され、枠体１１に押圧される螺合体、例えばナット１４とを備えている。なお、ねじ棒１２には、ナット１４に当接するワッシャ１６も装着させてある。
【００１６】
また本実施形態は、ねじ棒１２の一端に固定され、ピン挟持体１０を保持する保持体１５を備えている。この保持体１５には、ねじ棒１２と螺合するねじ孔１５ａを設けてある。前述したピン挟持体１０は、図４に示すように、保持体１５に固定される固定部１０ａと、この固定部１０ａに対向して設けられた可動部１０ｂとを有している。また、ピン挟持体１０は、固定部１０ａと可動部１０ｂとによってレバー支点ピン５ａ、あるいは５ｂを挟持した状態で、固定部１０ａと可動部１０ｂとを締結する締結具、例えば固定部１０ａに形成した２つのねじ孔１０ａ２、及び可動部１０ｂに形成した２つのねじ孔１０ｂ２のうちの対応するものにそれぞれ螺合する２本のボルト１０ｃを有している。
【００１７】
前述した枠体１１は、互いに対向する一対の側壁１１ａ，１１ｂと、これらの側壁１１ａ，１１ｂを連結し、前述した挿入穴１１ｃ１が設けられた連結壁１１ｃとを含んでいる。一対の側壁１１ａ，１１ｂのそれぞれは、前述した所定部材に当接可能な端部１１ａ１，１１ｂ１を有し、これらの端部１１ａ１，１１ｂ１間に、レバー支点ピン５ａ，５ｂの移動を許容させる開放部１１ｄを形成してある。また、一対の側壁１１ａ，１１ｂ間のピン挟持体１０に対向する部分に、前述した開放部１１ｄに連通し、ピン挟持体１０によるレバー支点ピン５ａ，５ｂの挟持を許容させる開放空間を形成してある。
【００１８】
枠体１１の端部１１ａ１，１１ｂ１が当接する前述の所定部材は、ブレーキの前述した支持部材４から成っている。なお、支持部材４に一体にボス等の部材が設けられている場合には、前述の所定部材がボス等の部材であってもよい。
【００１９】
ピン挟持体１０の固定部１０ａ及び可動部１０ｂのそれぞれは、同図４に示すように、レバー支点ピン５ａ，５ｂの外周形状に沿う弧状溝１０ａ１，１０ｂ１を有している。また本実施形態は、保持体１５に固定され、ねじ棒１２の一端側が螺合する固定ナット１３を備えている。ねじ棒１２の一端側と、固定ナット１３と、保持体１５と、ピン挟持体１０の固定部１０ａとは溶接により一体に固定してある。
【００２０】
ここで、本実施形態に係るレバー支点ピン抜き治具は、
レバー支点ピン５ａ，５ｂの長さ寸法をＬ０、
枠体１１の長さ寸法をＬ１、
ねじ棒１２の長さ寸法をＬ２、
ピン挟持体１０の厚さ寸法をＴ、
保持体１５の厚さ寸法をｔ１、
固定ナット１３の厚さ寸法をｔ２、
螺合体を構成するナット１４の厚さ寸法をｔ３、
螺合体を構成するナット１４に当接し、ねじ棒１２に装着されるワッシャ１６の厚さ寸法をｔ４、
枠体１１の連結壁１１ｃの厚さ寸法をｔ５としたとき、
Ｌ１−ｔ１−ｔ２−ｔ５＞Ｌ０        （１）
Ｌ２＞Ｌ１−Ｔ＋ｔ３＋ｔ４          （２）
の関係を満足するように、レバー支点ピン５ａ，５ｂの長さ寸法Ｌ０、枠体１１の長さ寸法Ｌ１、ねじ棒１２の長さ寸法Ｌ２、ピン挟持体１０の厚さ寸法Ｔ、保持体１５の厚さ寸法ｔ１、固定ナット１３の厚さ寸法ｔ２、ナット１４の厚さ寸法ｔ３、ワッシャ１６の厚さ寸法ｔ４、及び枠体１１の連結壁１１ｃの厚さ寸法ｔ５のそれぞれを設定してある。
【００２１】
なお、本実施形態によってレバー３ａ，３ｂ、及び支持部材４から抜き取られるレバー支点ピン５ａ，５ｂは、図２に例示したようにつば部を備えていない１本の軸体から成っているが、レバー支点ピンの中には、軸体を形成するピン本体と、このピン本体の一端側に設けられたつば部とを有するものもある。本実施形態は、このようなピン本体及びつば部を有するレバー支点ピンの抜き取りをも考慮して、ピン挟持体１０の固定部１０ａ及び可動部１０ｂの、保持体１５に対向する側の図３に示す面部１０ｄのそれぞれに、図５に例示するように、レバー支点ピンのつば部が収容される弧状凹部１０ｂ３等を設けてある。
【００２２】
このように構成した本実施形態に係るレバー支点ピン抜き治具を用いて、レバー支点ピン５ａ，５ｂを抜き取る作業について図６を用いて説明する。なお図６では、レバー支点ピン５ａを抜き取る作業について示してあるが、レバー支点ピン５ｂの抜き取り作業も同様にして行われる。以下にあっては、レバー支点ピン５ａの抜き取り作業を例に挙げて説明する。
【００２３】
レバー３ａを支持部材４に回動可能に連結していたレバー支点ピン５ａを抜き取るに際しては、まず、レバー支点ピン５ａのレバー３ａ側に位置する端面を、例えば前述した従来技術におけるのと同様の筒体を用い、ハンマーで強く叩く。これにより、レバー支点ピン５ａをレバー３ａに形成された穴部、及び支持部材４に形成された穴部４ａから突出させることができる。すなわち、レバー支点ピン５ａを、一対の側壁１１ａ，１１ｂの端部１１ａ１，１１ｂ１間に形成される開放部１１ｄ、及びこの開放部１１ｄに連通する前述の開放空間を介して、ピン挟持体１０の固定部１０ａと可動部１０ｂの間に位置させ、ボルト１０ｃの締結によって、ピン挟持体１０に挟持させることができる。この状態で枠体１１の端部１１ａ１，１１ｂ１を所定部材、すなわち支持部材４に当接させる。
【００２４】
このような状態において、所定の工具、例えばスパナ２０によってナット１４を回転させる。これにより、枠体１１はワッシャ１６を介してナット１４によって締め付けられ、枠体１１は端部１１ａ１，１１ｂ１が支持部材４に押圧された状態となり、ピン挟持体１０にレバー支点ピン５ａに対する引き抜き力を生じさせることができる。したがって、スパナ２０でナット１４を回転させることにより、ピン挟持体１０がレバー支点ピン５ａを挟持した状態で、ねじ棒１２をレバー３ａ及び支持部材４から離れる方向に移動させることができる。
【００２５】
すなわち、ねじ棒１２と一体に設けられ、レバー支点ピン５ａを挟持するピン挟持体１０を、レバー３ａ及び支持部材４から離れる方向へ移動させ、このピン挟持体１０によって、レバー支点ピン５ａを、レバー３ａ及び支持部材４から抜き取ることができる。レバー支点ピン５ｂの抜き取り作業も前述と同様にして行うことができる。
【００２６】
このように構成した本実施形態に係るレバー支点ピン抜き治具によれば、前述した従来技術におけるようにレバー支点ピン５ａ，５ｂを手で握って引っ張る作業を要することなく、スパナ２０でナット１４を回転させる操作によって、レバー支点ピン５ａ，５ｂをレバー３ａ，３ｂ及び支持部材４から抜き取ることができる。これにより本実施形態は、レバー支点ピン５ａ，５ｂの抜き取り作業を短時間で行うことができ、レバー３ａ，３ｂの取り外し作業を含むブレーキ分解作業の能率を向上させることができる。
【００２７】
また、本実施形態は、ピン挟持体１０が、レバー支点ピン５ａ，５ｂの外周形状に沿う弧状溝１０ａ１，１０ｂ１を有することから、レバー支点ピン５ａ，５ｂを固定部１０ａの弧状溝１０ａ１、及び可動部１０ｂの弧状溝１０ｂ１に挿入させた状態で安定して挟持し、レバー支点ピン５ａ，５ｂの偏りを生じさせずにレバー支点ピン５ａ，５ｂを精度良く抜き取ることができる。
【００２８】
また、本実施形態は、ねじ棒１２に螺合する螺合体が、入手が簡単なナットから成り、入手が簡単な固定ナット１３も含めて、ねじ棒１２の一端側と保持体１５とピン挟持体１０の固定部１０ａとを一体に溶接固定した構成にしてあることから、製作が容易で実用性に富む。
【００２９】
また、本実施形態は、枠体１１の長さ寸法Ｌ１、保持体１５の厚さ寸法ｔ１、固定ナット１３の厚さ寸法ｔ２、枠体１１の連結壁１１ｃの厚さ寸法ｔ５、及びレバー支点ピン５ａ，５ｂの長さ寸法Ｌ０のそれぞれを、前述した不等式（１）で示す関係に設定したことから、ナット１４の回転に伴うねじ棒１２及びピン挟持体１０の移動によって、レバー支点ピン５ａ，５ｂの全体をレバー３ａ，３ｂ、及び支持部材４から確実に抜き取ることができる。
【００３０】
また、本実施形態は、ねじ棒１２の長さ寸法Ｌ２、枠体１１の長さ寸法Ｌ１、ピン挟持体１０の厚さ寸法Ｔ、ナット１４の厚さ寸法ｔ３、及びワッシャ１６の厚さ寸法ｔ４のそれぞれを、前述した不等式（２）で示す関係に設定したことから、ねじ棒１２、ナット１４、及びピン挟持体１０を枠体１１から離脱させることなく、レバー支点ピン５ａ，５ｂの抜き取り作業を実施でき、常に安定した形態に保持できる。
【００３１】
なお、前述した実施形態では、ねじ棒１２に螺合する螺合体をナット１４によって構成したが、本発明は、螺合体をナット１４によって構成することには限られない。例えばナット１４と同程度の厚さを有し、全体形状がスパナ２０によって回転させることが可能な角形、例えば正方形で、中央部分にねじ棒１２と螺合するねじ穴を有する部材によって螺合体を構成してもよい。
【００３２】
また、前述した実施形態では、枠体１１を一対の側壁１１ａ，１１ｂと、連結壁１１ｃとを有する構成にしてあるが、例えばピン挟持体１０の底部を塞ぐ底面も設けた構成とすることができる。
【００３３】
また、前述した実施形態では、端部につば部が形成されていないレバー支点ピン５ａ，５ｂの抜き取りを例に挙げて説明したが、ピン本体の端部につば部を有するレバー支点ピンを抜き取る際には、ピン挟持体１０の固定部１０ａ、及び可動部１０ｂに形成した前述の弧状凹部１０ｂ３等につば部を収容させた状態で、該当するレバー支点ピンを固定部１０ａと可動部１０ｂとによって挟持させればよい。この状態でスパナ２０によってナット１４を回転させることにより、固定部１０ａと可動部１０ｂとによるレバー支点ピンに対する挟持力と、レバー支点ピンのつば部の、固定部１０ａ及び可動部１０ｂの保持体１５に対向する側の面部１０ｄへの係合とにより、つば部を有するレバー支点ピンを確実にレバー３ａ，３ｂ、及び支持部材４から抜き取ることができる。すなわち本実施形態は、つば部が形成されていないレバー支点ピン５ａ，５ｂの抜き取りを実現させることができるとともに、つば部が形成されたレバー支点ピンの抜き取りも実現させることができ、優れた汎用性を有する。
【符号の説明】
【００３４】
１    ブレーキドラム
２ａ  シュー
２ｂ  シュー
３ａ  レバー
３ｂ  レバー
４    支持部材
４ａ  穴部
４ｂ  穴部
５ａ  レバー支点ピン
５ｂ  レバー支点ピン
１０    ピン挟持体
１０ａ  固定部
１０ａ１  弧状溝
１０ａ２  ねじ孔
１０ｂ  可動部
１０ｂ１  弧状溝
１０ｂ２  ねじ孔
１０ｂ３  弧状凹部
１０ｃ  ボルト
１０ｄ  面部
１１    枠体（収容体）
１１ａ  側壁
１１ａ１  端部
１１ｂ  側壁
１１ｂ１  端部
１１ｃ  連結壁
１１ｃ１  挿入穴
１１ｄ  開放部
１２    ねじ棒
１３    固定ナット
１４    ナット（螺合体）
１５    保持体
１５ａ  ねじ孔
１６    ワッシャ
２０    スパナ（所定の工具）
Ｌ０    レバー支点ピン５ａ等の長さ寸法
Ｌ１    枠体１１の長さ寸法
Ｌ２    ねじ棒１２の長さ寸法
Ｔ      ピン挟持体１０の厚さ寸法
ｔ１    保持体１５の厚さ寸法
ｔ２    固定ナット１３の厚さ寸法
ｔ３    ナット１４の厚さ寸法
ｔ４    ワッシャ１６の厚さ寸法
ｔ５    連結壁１１ｃの厚さ寸法
【図１】
2016060580.tif 000003
【図２】
2016060580.tif 000004
【図３】
2016060580.tif 000005
【図４】
2016060580.tif 000006
【図５】
2016060580.tif 000007
【図６】
2016060580.tif 000008